【手続補正書】
【提出日】平成27年8月14日(2015.8.14)
【手続補正１】
【補正対象書類名】特許請求の範囲
【補正対象項目名】全文
【補正方法】変更
【補正の内容】
【特許請求の範囲】
【請求項１】
ａ）（メタ）アクリル酸、（メタ）アクリルアミド、またはビニルベンゼンの１種から誘導される基、
ｂ）ポリホスフェート部分、および
ｃ）ジシアンジアミドから誘導されるアミン種
を含む難燃性モノマー組成物であって、
ａ）は、ｂ）に直接または連結基を介して共有結合して、前駆体モノマー単位を形成し、
ｃ）は、前記前駆体モノマー単位中のｂ）の共有結合した前記ポリホスフェート部分と複合体を形成している、組成物。
【請求項２】
前記ポリホスフェート部分が、式−Ｒ３Ｘ−［Ｐ（＝Ｏ）（ＯＲ５）Ｏ−］ｎＲ４、または−Ｒ３−Ｐ（＝Ｏ）（ＯＲ４）（ＯＲ５）のポリホスフェートまたはモノホスホネート化合物から誘導され、ここで：
ｎは、約１〜約１０であり、
Ｘは、ＯまたはＮＨであり、
Ｒ３は、最大で２０個までの炭素原子に代わって置換された酸素および／または窒素原子を有するＣ０〜Ｃ５０ヒドロカルビル連結基であり、
Ｒ４は、Ｈ、またはＭ＋であり、
Ｒ５は、Ｈ、またはＭ＋であり、
Ｍ＋は、周期表の第Ｉ族および第ＩＩ族の元素、またはアンモニウムから選択される対イオンである、請求項１に記載の組成物。
【請求項３】
前記ポリホスフェート部分が、カルボキシエチルモノホスフェート、カルボキシエチルモノホスホネート、カルボアミドエチルモノホスフェート、カルボアミドエチルモノホスホネート、フェネチルモノホスフェート、もしくはフェネチルモノホスホネート、またはそれらの混合物である、請求項１に記載の組成物。
【請求項４】
前記前駆体モノマー単位が、２−ヒドロキシエチル（メタ）アクリレートモノホスフェートエステル、ビス（２−ヒドロキシエチル（メタ）アクリレートジホスフェートエステル、ポリエチレングリコール（メタ）アクリレートモノホスフェートエステル、ポリプロピレングリコール（メタ）アクリレートモノホスフェートエステル、メタクリルアミドエチルホスホン酸、ビニルベンゼンホスホン酸、ビニルホスホン酸およびイソプロペニルホスホン酸から選択される、請求項１に記載の組成物。
【請求項５】
前記アミン種が、約１６〜３０００ｇ／モルの分子量を有する、請求項１に記載の組成物。
【請求項６】
前記アミン種が、ジシアンジアミド、アルキルアミン、またはグアニジンから誘導される、請求項１に記載の組成物。
【請求項７】
前記難燃性モノマー組成物が、グアニル尿素と複合体を形成した２−（ホスホノオキシ）エチルメタクリレート、またはグアニル尿素と複合体を形成した（２−（メタクリロイルオキシ）エチル）ホスホン酸である、請求項１に記載の組成物。
【請求項８】
ａ）（メタ）アクリル酸、（メタ）アクリルアミド、またはビニルベンゼンの１種から誘導される基、
ｂ）ポリホスフェート部分、および
ｃ）アミン種
から誘導されるモノマー単位を含むラテックスポリマーの水性分散物からなる難燃性ポリマーであって、
ａ）は、ｂ）に直接または連結基を介して共有結合して、前駆体モノマー単位を形成し、
ｃ）は、前記前駆体モノマー単位中のｂ）の共有結合した前記ポリホスフェート部分と複合体を形成している、
難燃性ポリマー。
【請求項９】
ポリホスフェート部分に共有結合していないエチレン性不飽和モノマーをさらに含む、請求項８に記載の難燃性ポリマー。
【請求項１０】
ポリマー中前記モノマーの少なくとも２０％が、前記難燃性モノマー組成物であり、前記ポリマー中前記モノマーの０．１％〜約８０％が、ポリホスフェート部分に共有結合していない前記エチレン性不飽和モノマーであり、前記ポリマーが、少なくとも１重量％のＰからなり、少なくとも約１０００ｇ／モルのＭｎを有し；前記ポリマー中前記モノマーの少なくとも９０％が、ポリホスフェート部分に共有結合していない前記エチレン性不飽和モノマーと、前記難燃性モノマー組成物との組合せを含み、ポリホスフェート部分に共有結合していない前記エチレン性不飽和モノマーは、塩化ビニル、スチレン、Ｃ１〜Ｃ４０アルキル（メタ）アクリレート、Ｃ１〜Ｃ４０（メタ）アクリルアミド、アクリルアミド、Ｎ−メチロールアクリルアミド、アクリロニトリル、アクリル酸、メタクリル酸、イタコン酸、マレイン酸、２−アクリルアミド−２−メチルプロパンスルホン酸、Ｃ１〜Ｃ４０ヒドロキシアルキル（メタ）アクリレート、Ｃ１〜Ｃ４０ヒドロキシアルキル（メタ）アクリルアミド、ビニルエステル、ブタジエン、イソプレンおよびそれらの二量体または多誘導体化合物の１種または複数である、請求項８に記載の難燃性ポリマー。
【請求項１１】
リン含有量が、前記ポリマーの約１．０〜約１５．０重量％である、請求項８に記載のポリマー。
【請求項１２】
前記組成物中前記モノマーの少なくとも５０％が、前記難燃性モノマー組成物から選択される、請求項８に記載のポリマー。
【請求項１３】
前記前駆体モノマー単位を前記アミン種と反応させて、前記難燃性モノマー組成物を形成する工程を含む、請求項１に記載の難燃性モノマー組成物を生成させる方法。
【請求項１４】
（ａ）前記前駆体モノマー単位をフリーラジカル重合させる工程、および
（ｂ）（ａ）の重合された生成物を、前記アミン種と反応させて、前記難燃性ポリマーを形成する工程
を含む、請求項８に記載の難燃性ポリマーを生成させる方法。
【請求項１５】
請求項８に記載のポリマーを含み、前記難燃性ポリマーの１００重量部当たり約１〜約５０重量部の難燃添加剤をさらに含む組成物。
【請求項１６】
前記難燃添加剤が、メラミン誘導体難燃剤、有機難燃剤、無機難燃剤、有機ホスフェート、ホスホネートまたはホスフィネート難燃剤、ハロゲン化化合物難燃剤、およびそれらの混合物の１種または複数である、請求項１５に記載の組成物。
【手続補正２】
【補正対象書類名】明細書
【補正対象項目名】００２０
【補正方法】変更
【補正の内容】
【００２０】
本発明のさらなる態様において、難燃性組成物が提供される。難燃性組成物は、他の添加剤とともに難燃性ポリマーを含み得る。特に、難燃添加剤などの添加剤および他のポリマーが、難燃性ポリマーとともに難燃性組成物中でブレンドされてもよい。
本発明は、例えば、以下を提供する。
（項目１）
ａ）（メタ）アクリル酸、（メタ）アクリルアミド、またはビニルベンゼンの１種から誘導される基、
ｂ）ポリホスフェート部分、および
ｃ）アミン種
を含む難燃性モノマー組成物であって、
ａ）は、ｂ）に直接または連結基を介して共有結合して、前駆体モノマー単位を形成し、
ｃ）は、前記前駆体モノマー単位中のｂ）の共有結合した前記ポリホスフェート部分と複合体を形成している、組成物。
（項目２）
前記ポリホスフェート部分が、式−Ｒ３Ｘ−［Ｐ（＝Ｏ）（ＯＲ５）Ｏ−］ｎＲ４、または−Ｒ３−Ｐ（＝Ｏ）（ＯＲ４）（ＯＲ５）のポリホスフェートまたはモノホスホネート化合物から誘導され、ここで：
ｎは、約１〜約１０であり、
Ｘは、ＯまたはＮＨであり、
Ｒ３は、最大で２０個までの炭素原子に代わって置換された酸素および／または窒素原子を有するＣ０〜Ｃ５０ヒドロカルビル連結基であり、
Ｒ４は、Ｈ、またはＭ＋であり、
Ｒ５は、Ｈ、またはＭ＋であり、
Ｍ＋は、周期表の第Ｉ族および第ＩＩ族の元素、またはアンモニウムから選択される対イオンである、項目１に記載の組成物。
（項目３）
前記ポリホスフェート部分が、カルボキシエチルモノホスフェート、カルボキシエチルモノホスホネート、カルボアミドエチルモノホスフェート、カルボアミドエチルモノホスホネート、フェネチルモノホスフェート、もしくはフェネチルモノホスホネート、またはそれらの混合物である、前述の項目のいずれかに記載の組成物。
（項目４）
前記前駆体モノマー単位が、２−ヒドロキシエチル（メタ）アクリレートモノホスフェートエステル、ビス（２−ヒドロキシエチル（メタ）アクリレートジホスフェートエステル、ポリエチレングリコール（メタ）アクリレートモノホスフェートエステル、ポリプロピレングリコール（メタ）アクリレートモノホスフェートエステル、メタクリルアミドエチルホスホン酸、ビニルベンゼンホスホン酸、ビニルホスホン酸およびイソプロペニルホスホン酸から選択される、前述の項目のいずれかに記載の組成物。
（項目５）
前記アミン種が、約１６〜３０００ｇ／モルの分子量を有する、前述の項目のいずれかに記載の組成物。
（項目６）
前記アミン種が、ジシアンジアミド、アルキルアミン、またはグアニジンから誘導される、前述の項目のいずれかに記載の組成物。
（項目７）
前記難燃性モノマー組成物が、グアニル尿素と複合体を形成した２−（ホスホノオキシ）エチルメタクリレート、またはグアニル尿素と複合体を形成した（２−（メタクリロイルオキシ）エチル）ホスホン酸である、前述の項目のいずれかに記載の組成物。
（項目８）
項目１〜７のいずれかに記載の難燃性モノマー組成物に等価なモノマー単位からなる難燃性ポリマー。
（項目９）
前記ポリマーが、ホモポリマーである、項目８に記載の難燃性ポリマー。
（項目１０）
前記ポリマーが、変化するａ）、ｂ）およびｃ）を有する前記難燃性モノマー組成物のコポリマーである、項目８に記載の難燃性ポリマー。
（項目１１）
ポリホスフェート部分に共有結合していないエチレン性不飽和モノマーをさらに含む、項目８または１０に記載の難燃性ポリマー。
（項目１２）
ポリマー中前記モノマーの少なくとも２０％が、前記難燃性モノマー組成物であり、前記ポリマー中前記モノマーの０．１％〜約８０％が、ポリホスフェート部分に共有結合していない前記エチレン性不飽和モノマーであり、前記ポリマーが、少なくとも１重量％のＰからなり、少なくとも約１０００ｇ／モルのＭｎを有し；前記ポリマー中前記モノマーの少なくとも９０％が、ポリホスフェート部分に共有結合していない前記エチレン性不飽和モノマーと、前記難燃性モノマー組成物との組合せを含み、ポリホスフェート部分に共有結合していない前記エチレン性不飽和モノマーは、塩化ビニル、スチレン、Ｃ１〜Ｃ４０アルキル（メタ）アクリレート、Ｃ１〜Ｃ４０（メタ）アクリルアミド、アクリルアミド、Ｎ−メチロールアクリルアミド、アクリロニトリル、アクリル酸、メタクリル酸、イタコン酸、マレイン酸、２−アクリルアミド−２−メチルプロパンスルホン酸、Ｃ１〜Ｃ４０ヒドロキシアルキル（メタ）アクリレート、Ｃ１〜Ｃ４０ヒドロキシアルキル（メタ）アクリルアミド、ビニルエステル、ブタジエン、イソプレンおよびそれらの二量体または多誘導体化合物の１種または複数である、項目１０または１１に記載の難燃性ポリマー。
（項目１３）
リン含有量が、前記ポリマーの約１．０〜約１５．０重量％である、項目８〜１２のいずれかに記載のポリマー。
（項目１４）
前記組成物中前記モノマーの少なくとも５０％が、前記難燃性モノマー組成物から選択される、項目８〜１３のいずれかに記載のポリマー。
（項目１５）
前記前駆体モノマー単位を前記アミン種と反応させて、前記難燃性モノマー組成物を形成する工程を含む、項目１〜７のいずれかに記載の難燃性モノマー組成物を生成させる方法。
（項目１６）
前記反応が、水の存在下で行われる、項目１５に記載の方法。
（項目１７）
前記反応が、前記アミン種としてのジシアンジアミドおよび水とである、項目１６に記載の方法。
（項目１８）
前記アミン種反応工程におけるポリホスフェートとアミン種との（Ｐ：Ｎ）比が、約１：０．２〜約１：１５である、項目１５〜１７に記載の方法。
（項目１９）
前記難燃性モノマー組成物が、その後にフリーラジカル重合されて、難燃性ポリマーを生成させる、項目１５〜１８のいずれかに記載の方法。
（項目２０）
（ａ）前記前駆体モノマー単位をフリーラジカル重合させる工程、および
（ｂ）（ａ）の重合された生成物を、前記アミン種と反応させて、前記難燃性ポリマーを形成する工程
を含む、項目８〜１４のいずれかに記載の難燃性ポリマーを生成させる方法。
（項目２１）
前記（ａ）のフリーラジカル重合が、ポリホスフェート部分に共有結合していない前記エチレン性不飽和モノマー単位、および前記前駆体モノマー単位をフリーラジカル重合させる工程を含む、項目２０に記載の方法。
（項目２２）
前記フリーラジカル重合が、乳化重合、分散重合、溶液重合、光重合、または放射線重合によるものである、項目１９〜２１に記載の方法。
（項目２３）
界面活性剤が、前記重合に用いられる、項目２２に記載の方法。
（項目２４）
工程（ｂ）が、水の存在下で行われる、項目２０または２１に記載の方法。
（項目２５）
前記工程（ｂ）が、前記アミン種としてのジシアンジアミドおよび水で行われる、項目２４に記載の方法。
（項目２６）
前記アミン種反応工程におけるポリホスフェートとアミン種との（Ｐ：Ｎ）比が、約１：０．２〜約１：１５である、項目２０または２１に記載の方法。
（項目２７）
項目８〜１４のいずれかに記載のポリマーを含み、前記難燃性ポリマーの１００重量部当たり約１〜約５０重量部の難燃添加剤をさらに含む組成物。
（項目２８）
前記難燃添加剤が、メラミン誘導体難燃剤、有機難燃剤、無機難燃剤、有機ホスフェート、ホスホネートまたはホスフィネート難燃剤、ハロゲン化化合物難燃剤、およびそれらの混合物の１種または複数である、項目２７に記載の組成物。
（項目２９）
前記難燃添加剤が、メラミンシアヌレートである、項目２８に記載の組成物。
（項目３０）
ポリウレタンポリマー、ポリアミドポリマー、ポリ尿素ポリマー、ポリアクリレートポリマーまたはそれらの混合物の１種または複数とさらにブレンドされる、項目２７〜２９のいずれかに記載の組成物。